(57)【要約】      （修正有）【課題】販売店に陳列された釣り竿をより見やすくすると共に、釣行において簡便な器具を提供する。【解決手段】並継ぎの釣り竿の竿体２１−１および竿体２１−２を保持する、平板状のゴムからなる保持具１における、対向する一方の面から他方の面に貫通するように設けられている穴１１が、挿入された竿体２１−１の一端を保持し、一方の面から他方の面に貫通するように設けられている線状の切り込み１２が、挿入された、穂先である竿体２１−２の竿先側を保持する。切り込み１２は、切り込み１２の両側のゴムが接すると共に、切り込み１２の両端のゴムが繋がっているように保持具１に形成される。本考案は、組み立て式の釣り竿に適用することができる。【選択図】図２
0003109964.tif 000002
【実用新案登録請求の範囲】
【請求項１】
並継ぎの釣り竿の第１の竿体および第２の竿体を保持する、平板状のゴムからなる保持具において、
対向する一方の面から他方の面に貫通するように設けられている、挿入された前記第１の竿体の一端を保持する穴と、
前記一方の面から前記他方の面に貫通するように設けられている、挿入された、穂先である前記第２の竿体の竿先側を保持する線状の切り込みと
を備え、
前記切り込みの両側のゴムが接すると共に、前記切り込みの両端のゴムが繋がっている
ことを特徴とする保持具。
【請求項２】
独立気泡型の多孔性のゴムからなる
ことを特徴とする請求項１に記載の保持具。
【請求項３】
前記一方の面または前記他方の面のいずれか一方に、伸縮する布地が貼られている
ことを特徴とする請求項１または請求項２に記載の保持具。
【請求項４】
前記一方の面および前記他方の面が、前記釣り竿の容器の内側の形状に応じた形状である
ことを特徴とする請求項１乃至請求項３のいずれかに記載の保持具。
【考案の詳細な説明】
【技術分野】
【０００１】
本考案は、保持具に関し、特に、釣り竿の陳列および持ち運びに適した保持具に関する。
【背景技術】
【０００２】
釣り竿の販売店において、２本継ぎの並継ぎ式の釣り竿を箱詰めして陳列する場合、通常、元竿と穂先とがロッドベルトで束ねられる。すなわち、元竿および穂先は、竿先側および竿尻側がそれぞれロッドベルトで束ねられる。
【０００３】
このように束ねられた釣り竿は、箱詰めされた状態で、販売店において陳列される。このとき用いられる箱は、透明な箱、すなわち、クリアケースであることが多い。
【０００４】
クリアケースを用いることで、釣り竿の購入希望者（ユーザ）は、箱の中の釣り竿をよく見て、他の釣り竿とよく見比べて、所望のものを選択することができる。
【０００５】
また、ユーザは、購入した釣り竿を、海などの釣り場に運ぶ場合、購入時に元竿および穂先を束ねるために用いられていたロッドベルトをそのまま利用し、運んでいた。
【考案の開示】
【考案が解決しようとする課題】
【０００６】
しかしながら、元竿と穂先とは、ロッドベルトを２個用いて束ねられていることで、互いに密着しているため、元竿または穂先の細部などを箱の外から見ることができないという課題があった。
【０００７】
ロッドベルトで、元竿の一端と穂先の竿先を束ね、固定する場合、穂先の竿先は、細く、強度が低いため、ロッドベルトできつく束ねることで、破損してしまうことがあるという課題があった。
【０００８】
また、例えば、海や川などの釣り場において、準備または片付けを行う場合、ユーザは、釣り竿を車や近くの岩、クーラーボックス、またはタックルボックスなどに立てかけることが多い。これは、釣り竿を地面にそのまま置くことで、誤って踏みつけてしまい、釣り竿を損傷させてしまうことを防ぐためである。また、釣り竿を立てかけることで、釣り竿が地面の砂や砂利によって、傷ついてしまうことを防ぐことができる。
【０００９】
このとき、車や岩などに立てかけられた釣り竿は、少しの風や振動で、バランスを失い、倒れてしまうことがある。これにより、車のドアで釣り竿を挟み込んでしまうなど、釣り竿の損傷の原因を招いてしまうという課題があった。
【００１０】
さらに、釣り竿を持ち運ぶ際に用いる、釣り竿を収納するためのロッドキャリーケースが販売されている。ロッドキャリーケースを利用する場合、釣り場においては、そのケースが荷物として嵩張り、取り扱いが面倒であるという課題があった。
【００１１】
本考案は、このような状況に鑑みてなされたものであり、販売店に陳列された釣り竿をより見やすくすると共に、釣行において簡便な器具を提供することができるようにするものである。
【課題を解決するための手段】
【００１２】
本考案の保持具は、対向する一方の面から他方の面に貫通するように設けられている、挿入された第１の竿体の一端を保持する穴と、一方の面から他方の面に貫通するように設けられている、挿入された、穂先である第２の竿体の竿先側を保持する線状の切り込みとを備え、切り込みの両側のゴムが接すると共に、切り込みの両端のゴムが繋がっていることを特徴とする。
【００１３】
この保持具は、独立気泡型の多孔性のゴムからなるようにすることができる。
【００１４】
この保持具は、一方の面または他方の面のいずれか一方に、伸縮する布地が貼られているようにすることができる。
【００１５】
この保持具は、一方の面および他方の面が、釣り竿の容器の内側の形状に応じた形状であるようにすることができる。
【００１６】
本考案の保持具においては、対向する一方の面から他方の面に貫通するように設けられている穴によって、挿入された第１の竿体の一端が保持され、一方の面から他方の面に貫通するように設けられている切り込みによって、挿入された、穂先である第２の竿体の竿先側が保持される。また、切り込みは、切り込みの両側のゴムが接すると共に、切り込みの両端のゴムが繋がっているようになされる。
【考案の効果】
【００１７】
本考案によれば、釣り竿を保持することができる。また、本考案によれば、販売店に陳列された釣り竿をより見やすくすると共に、釣行において簡便な器具を提供することができる。
【考案を実施するための最良の形態】
【００１８】
以下に、本考案の実施の形態について図面を参照して説明する。
【００１９】
図１は、本考案を適用した保持具１の構成の例を示す斜視図である。
【００２０】
保持具１は、組み立て式の並継ぎの釣り竿を、組み立てていない状態で一体に保持（固定）する器具である。ここで、並継ぎの釣り竿とは、それぞれ別個に分割される複数の竿体を接合することにより組み立てられる釣り竿、すなわち、例えば、並継ぎ、逆並継ぎ、印籠継ぎ、および逆印籠継ぎなどの継ぎ手を差し込んで組み立てる釣り竿をいう。
【００２１】
なお、保持具１で保持される釣り竿は、ガイドの有無を問わない。
【００２２】
保持具１は、平板状のゴムからなる。例えば、保持具１の素材としては、独立気泡型の多孔性のゴムである、クロロプレンゴムなどが用いられる。
【００２３】
保持具１には、図１で示されるように、保持具１の対向する一方の面から他方の面に貫通する円状の穴１１、および穴１１と同様に保持具１の対向する一方の面から他方の面に貫通する縦に線状の切り込み１２が設けられている。
【００２４】
ここで、保持具１の切り込み１２は、切り込み１２の両側のゴムが接すると共に、切り込み１２の両端のゴムが繋がっているように形成される。
【００２５】
図２は、竿体２１−１および竿体２１−２が挿入された保持具１を説明する図である。ここで、竿体２１−１は元竿であり、竿体２１−２は穂先である。すなわち、保持具１は、図２に示す例において、竿体２１−１および竿体２１−２からなる２本継ぎの釣り竿を保持している。
【００２６】
この釣り竿は、竿体２１−１の継ぎ手と、竿体２１−２の継ぎ手とを接合することで、組み立てられる。
【００２７】
元竿である竿体２１−１の一端は、穴１１に挿入（挿通）されることにより、保持具１に保持（固定）される。また、穂先である竿体２１−２の竿先は、切り込み１２に挿入（挿通）されることにより、保持具１に保持（固定）される。
【００２８】
このとき、保持具１が平板状のゴムからなり、両側のゴムが接する線状の切り込み１２に穂先である竿体２１−２の竿先を挿入して保持するようにしたのは、竿先は細く、テーパー状であるので、竿体２１−２の任意の位置で保持できるようにすると共に、破損しやすい竿先にかかる力を分散し、逃がすことができるようにするためである。
【００２９】
従って、細く破損しやすい穂先である竿体２１−２を確実に保持すると共に、竿体２１−２の損傷を防止することができる。
【００３０】
なお、保持具１において、穴１１および切り込み１２は、穴１１に挿入された竿体２１−１および切り込み１２に挿入された竿体２１−２が密着しないように、所定の距離だけ離して形成される。
【００３１】
保持具１の一方の面、または両方の面に、例えば、ジャージなどの伸縮する布地を貼るようにしてもよい。これにより、布地によって竿体２１−２の竿先が滑りやすくなり、竿体２１−２の竿先を、容易に切り込み１２に挿入することができる。
【００３２】
保持具１に保持（固定）されている竿体２１−１および竿体２１−２の端部の逆の一端は、例えば、ロッドベルト３１により束ねられて、固定される。
【００３３】
ロッドベルト３１は、例えば、対向する一方の面、すなわち、竿体２１−１および竿体２１−２に接触する面が、ゴムで形成される。ゴムで形成された面の端部には、面ファスナが設けられ、ロッドベルト３１のもう一方の面は、面ファスナと一組となる布で形成される。
【００３４】
以下、竿体２１−１および竿体２１−２のそれぞれを、個々に区別する必要のないとき、単に、竿体２１と称する。
【００３５】
図２において、破線で示される容器４１は、中の竿体２１が外側から見えるような、透明な箱、すなわち、クリアケースである。図２は、保持具１およびロッドベルト３１に保持（固定）された竿体２１が、容器４１に挿入された状態を表している。
【００３６】
保持具１における竿体２１が挿入される面の形状は、例えば、容器４１の内側の形状に応じた形状としてもよい。これにより、保持具１と容器４１との間にガタつきがなくなり、竿体２１が容器４１の中で一定の位置に保持されることになる。
【００３７】
保持具１に保持された釣り竿（竿体２１）は、図２で示される状態、すなわち、容器４１に挿入された状態で販売店に陳列される。
【００３８】
図２で示されるように、組み立て式の釣り竿である、竿体２１−１と竿体２１−２が、平板状の保持具１によって、密着せずに、所定の距離をおいて、離れて保持（固定）されているため、ユーザは、釣り竿（竿体２１）の細部、例えば、穂先である竿体２１−２の竿先を、容器４１の外側からよく見ることができる。例えば、塗装面、ガイドの細部やラッピングの仕上がりなどが良く見える。これにより、購入希望者であるユーザの購買意欲をさらに刺激することができる。更にまた、ユーザは、他の釣り竿とよく見比べることができる。
【００３９】
ユーザは、容器４１に挿入されている釣り竿（竿体２１）の購入後、釣り竿を容器４１から取り出した状態、すなわち、図２で示される、釣り竿（竿体２１）が保持具１およびロッドベルト３１で保持（固定）された状態で、そのまま、釣り場へ運ぶことができる。また、ユーザは、竿体２１が保持具１に保持された状態で、釣り竿を釣り場において容易に持ち運びすることができる。
【００４０】
釣り場などにおいて、竿体２１のロッドベルト３１で束ねられている端部を下にして、保持具１が車体や岩などに接触するように立てかける場合、保持具１が滑りにくい素材であるゴムで形成されているので、竿体２１が、少しの風や振動でバランスを失い、簡単に倒れてしまうことを防止することができる。
【００４１】
保持具１およびロッドベルト３１は、小さいため、小さく折り畳むことのできないロッドキャリーケースのように、釣行の際、荷物として嵩張ることなく、取り扱いが簡単である。例えば、釣りをしているとき、保持具１は、ポケットや道具箱に入れておくことができる。
【００４２】
また、独立気泡型の多孔性のゴムによって形成された保持具１は、軽く、水をすわない。従って、釣り場において、雨や水で濡れてしまっても、保持具１は、すぐに乾き、取り扱いが簡単である。
【００４３】
さらに、ロッドベルトで竿体２１−１の一端と穂先である竿体２１−２の竿先とを束ねるのに比べ、保持具１においては、竿体２１−２の竿先を切り込み１２に挿入するだけで、保持されるので、細く、強度の低い竿体２１−２の竿先を、簡単にかつ安全に保持することができる。
【００４４】
以上のように、本考案においては、販売店に陳列された釣り竿を、より見やすくすると共に、釣行において簡便な器具を提供することができる。
【００４５】
図３は、本考案を適用した保持具１の構成の他の例を示す斜視図である。
【００４６】
図３Ａで示される保持具１は、２本継ぎの釣り竿の竿体を保持する保持具であり、保持具１の対向する一方の面から他方の面に貫通する星型の穴５１、および保持具１の対向する一方の面から他方の面に貫通する横に線状の切り込み５２が設けられている。
【００４７】
このとき、元竿である竿体の一端が穴５１に挿入され、穂先である竿体の竿先が切り込み５２に挿入され、それぞれの竿体が図３Ａで示される保持具１に保持される。
【００４８】
図３Ｂで示される保持具１は、２本継ぎの釣り竿の竿体を保持する保持具であり、保持具１の対向する一方の面から他方の面に貫通する四角状の穴６１および切り込み１２が設けられている。
【００４９】
このとき、元竿である竿体の一端が穴６１に挿入され、穂先である竿体の竿先が切り込み１２に挿入され、それぞれの竿体が図３Ｂで示される保持具１に保持される。
【００５０】
図３Ｃで示される保持具１は、３本継ぎの釣り竿の竿体を保持する保持具であり、保持具１の対向する一方の面から他方の面に貫通する円状の穴７１および穴７２、並びに切り込み１２が設けられている。
【００５１】
このとき、３分割されたうちの１本の竿体の一端が穴７１に挿入され、別の１本の竿体の一端が穴７２に挿入され、穂先である竿体の竿先が切り込み１２に挿入され、それぞれの竿体が図３Ｃで示される保持具１に保持される。
【００５２】
図３Ａ乃至図３Ｃで示される保持具１に保持されている竿体の端部の逆の一端は、図２で示されるように、ロッドベルト３１などで束ねられ、固定されるようにしてもよい。
【００５３】
以上のように、保持具１において、設けられる穴１１などの穴の形状は、釣り竿の竿体が挿入されることで、保持具１に保持されれば足り、本考案を限定するものではない。
【００５４】
同様に、保持具１において、穂先である竿体の竿先が挿入される切り込み１２などの切り込みの向きは、竿先が挿入されることで、保持具１に保持されれば足り、本考案を限定するものではない。
【００５５】
また、保持具１の穴１１など穴の数および切り込み１２などの切り込みの数は、組み立て式の釣り竿において、釣り竿が分割される数（竿体の数）に応じて変えればよく、本考案を限定するものではない。
【図面の簡単な説明】
【００５６】
【図１】本考案を適用した保持具の構成の例を示す斜視図である。
【図２】２つの竿体が挿入された保持具を説明する図である。
【図３】本考案を適用した保持具の構成の他の例を示す斜視図である。
【符号の説明】
【００５７】
１  保持具
１１  穴
１２  切り込み
２１、並びに２１−１および２１−２  竿体
【図１】
0003109964.tif 000003
【図２】
0003109964.tif 000004
【図３】
0003109964.tif 000005